(57)【特許請求の範囲】
【請求項１】
工具保持具が角形嵌合い凹部を備え、且つ工具が前記角形嵌合い凹部に嵌合される角形嵌合い軸部を備えていると共に、
前記角形嵌合い軸部と前記角形嵌合い凹部には、前記工具保持具と前記工具とを該角形嵌合い凹部内に前記角形嵌合い軸部を嵌合することによって係脱可能に係合する係合手段を備えており、
しかも、前記角形嵌合い軸部が、該角形嵌合い軸部の上端面から基部方に向けて円形孔状をなす凹部を備え、
且つ、前記角形嵌合い凹部が、該角形嵌合い凹部の底面から該角形嵌合い凹部内に、前記円形孔状をなす凹部に嵌合されて該凹部と共に前記工具保持具の回転軸線上に前記工具の回転中心線を位置付ける円錐台状をなす嵌合い軸部を突き出すように備えていることを特徴とする工具の保持構造。
【請求項２】
前記係合手段を、前記角形嵌合い凹部の内壁面から、球体の一部を該角形嵌合い凹部内に突き出すように圧縮コイルバネで付勢されて備えられている係合球体と、前記角形嵌合い軸部の外周面に備えられていると共に前記係合球体が係脱可能に係合される係合凹部としてあることを特徴とする請求項１に記載の工具の保持構造。
【請求項３】
前記係合球体が、軸方向に操作孔を備えた調整ねじにおける該操作孔内に、球体の一部を該操作孔から前記軸方向に突き出すように圧縮コイルバネで付勢されて備えられていると共に、該調整ねじが前記角形嵌合い凹部の内壁面に開口する雌ねじ孔に螺進退可能に螺入されていることを特徴とする請求項２に記載の工具の保持構造。
【発明の詳細な説明】
【０００１】
【発明の属する技術分野】
この発明は、工具の保持構造、特に、回転駆動して用いられる工具を、容易に、しかも、回転駆動軸と同芯に取付け得るようにした工具の保持構造の提供に関する。
【０００２】
【従来の技術】
一般に工具は、工具保持具を用いて、当該工具を回転駆動軸側に連結するように備え付けて用いるようにしてあり、この工具を工具保持具に対してねじ付けたり、コレットチャックに差し入れた当該工具のシャンクを締め付けカラーで締めつけるなど、当該工具を工具保持具に対して所定の止め付け操作によって、備え付けて用いるようにしていた。
【０００３】
【発明が解決しようとする課題】
しかしながら、かかる工具の工具保持具に対する止め付け操作は、当該工具を工具保持具に対して、例えば、当該工具に備えられている螺子ロッドを工具保持具に備えられている取付け螺子孔にねじ入れたり、当該工具におけるシャンクをコレットチャックに差入れた後、該コレットチャックの締め付けカラーをねじ回すなど、所要の止め付け操作が必要とされ、特に、ハンデイタイプの電動工作用具などにおいて工具を取り替える場合、この電動工作用具を一方の手で保持しながら、他方の手で、当該工具の取り替えを行う必要があり、当該工具の円滑な取り替えに難があった。
【０００４】
また、工具保持具に対してねじ付けて備えられる工具を回転駆動して用いる各種装置類にあっては、この工具保持具に対する工具のねじ込みの向きと反対の向きに当該工具を回転駆動して用いた場合、ねじ込み備え付けられた当該工具が、その使用に伴って緩み出す不具合があった。
【０００５】
この発明は、このような従来の工具の取付けにおける不具合を解消して、容易に、ワンタッチ操作で、しかも、駆動回転軸に対して同芯状態に工具を取付け得ると共に、当該工具をいずれの向きに回転駆動させて用いた場合でも当該取付け工具の取付けに緩み出しを生ずることのない工具の保持構造の提供をその主たる目的としている。
【０００６】
【課題を解決するための手段】
この発明は、前記目的を達成するために、請求項１に記載の発明を、工具保持具が角形嵌合い凹部を備え、且つ工具が前記角形嵌合い凹部に嵌合される角形嵌合い軸部を備えていると共に、
前記角形嵌合い軸部と前記角形嵌合い凹部には、前記工具保持具と前記工具とを該角形嵌合い凹部内に前記角形嵌合い軸部を嵌合することによって係脱可能に係合する係合手段を備えており、
しかも、前記角形嵌合い軸部が、該角形嵌合い軸部の上端面から基部方に向けて円形孔状をなす凹部を備え、
且つ、前記角形嵌合い凹部が、該角形嵌合い凹部の底面から該角形嵌合い凹部内に、前記円形孔状をなす凹部に嵌合されて該凹部と共に前記工具保持具の回転軸線上に前記工具の回転中心線を位置付ける円錐台状をなす嵌合い軸部を突き出すように備えていることを特徴とする工具の保持構造としてある。
【０００７】
このように構成される工具の保持構造にあっては、前記凹部に嵌合い軸部を嵌め入れるように前記角形嵌合い軸部を前記角形嵌合い凹部に嵌合することによって、前記工具と前記工具保持具とが一体に回転するように、前記工具が前記工具保持具に対して着脱可能に取付けられると共に該工具保持具における回転軸線上に当該工具における回転中心線を一致させて当該工具を該工具保持具に取付けることができる。
【０００８】
また、このように構成される工具の保持構造にあっては、当該工具をいずれの向きに回転駆動させて用いた場合でも、当該取付け工具の取付けに緩み出しを生ずることがない。
【００１０】
さらに、このように構成される工具の保持構造にあっては、前記特長に併せて、当該工具の使用に際して当該工具における回転中心線を工具保持具における回転軸線上に極力位置付けるようになすことができる。
【００１１】
また、前記目的を達成するために、請求項２に記載の発明を、前記請求項１に記載の発明において、前記係合手段を、前記角形嵌合い凹部の内壁面から、球体の一部を該角形嵌合い凹部内に突き出すように圧縮コイルバネで付勢されて備えられている係合球体と、前記角形嵌合い軸部の外周面に備えられていると共に前記係合球体が係脱可能に係合される係合凹部としてあることを特徴とする工具の保持構造としてある。
【００１２】
このように構成される工具の保持構造にあっては、前記特長に併せて、前記工具を工具保持具に対して、円滑に取付け且つ取り外すことができる。
【００１３】
また、前記目的を達成するために、請求項３に記載の発明を、前記請求項２に記載の発明において、前記係合球体が、軸方向に操作孔を備えた調整ねじにおける該操作孔内に、球体の一部を該操作孔から前記軸方向に突き出すように圧縮コイルバネで付勢されて備えられていると共に、該調整ねじが前記角形嵌合い凹部の内壁面に開口する雌ねじ孔に螺進退可能に螺入されていることを特徴とする工具の保持構造としてある。
【００１４】
このように構成される工具の保持構造にあっては、前記特長に併せて、前記工具保持具と前記工具とを、都合の良い係合状態に着脱可能に組み付けることができる。
【００１５】
【発明の実施の形態】
以下、この発明の典型的な各実施の形態に係る工具の保持構造について詳細に説明する。
【００１６】
図１〜図６は、典型的な第１の実施の形態に係る工具の保持構造を示したものであり、図１では、その要部部品を分離し且つ工具保持具Ｂの一部を省略して斜め上方から見て、図２では、当該工具の保持構造に係る工具Ａを工具保持具Ｂに取付けた状態を要部を破断して側方から見て、図３では、これを当該工具保持具Ｂの回転軸線に直交する向きで断面して上方から下方側を見て示している。
図４では、当該工具の保持構造を構成する工具保持具Ｂを調整ねじ２６を備え付ける前の状態で要部を断面して側方から見て示している。
図５では、この工具の保持構造を構成する工具Ａを上方から見て、また、図６では、この工具Ａの一部を破断して側方から見て示している。
【００１７】
図７〜図１２は、典型的な第２の実施の形態に係る工具の保持構造を示したものであり、図７では、その要部部品を分離し且つ工具保持具Ｂの一部を省略して斜め上方から見て、図８では、当該工具の保持構造に係る工具Ａを工具保持具Ｂに取付けた状態を要部を破断して側方から見て、図９では、これを当該工具保持具Ｂの回転軸線に直交する向きで断面して上方から下方側を見て示している。
図１０では、当該工具の保持構造を構成する工具保持具Ｂを調整ねじ２６を備え付ける前の状態で要部を断面して側方から見て示している。
図１１では、この工具の保持構造を構成する工具Ａを上方から見て、また、図１２では、この工具Ａの一部を破断して側方から見て示している。
【００１８】
この発明の典型的な実施の形態に係る工具の保持構造は、工具保持具Ｂと工具Ａとが、該工具保持具Ｂと該工具Ａのいずれか一方に角形嵌合い凹部２３を、且つ他方に、前記工具保持具Ｂの回転軸線ｘ−ｘ上に前記工具Ａの回転中心線ｙ−ｙを位置付けるように該角形嵌合い凹部２３に嵌合して前記工具保持具Ｂと前記工具Ａとを一体に回転させる角形嵌合い軸部１２を備えた構成としてあり、この角形嵌合い凹部２３に該角形嵌合い軸部１２を嵌合するように前記工具Ａを工具保持具Ｂに組み付けることによって、当該工具Ａが工具保持具Ｂに対して、この工具保持具Ｂと工具Ａとが一体に回転するように組み付けられる構成としてあり、
しかも、前記角形嵌合い軸部１２と前記角形嵌合い凹部２３には、この角形嵌合い凹部２３内に前記角形嵌合い軸部１２を嵌合することによって前記工具保持具Ｂと前記工具Ａとを係脱可能に係合する係合手段ｋを備えた構成としてあり、当該角形嵌合い凹部２３に嵌合された角形嵌合い軸部１２が該角形嵌合い凹部２３から抜け出さないように当該工具保持具Ｂと工具Ａとが係脱可能に係合される構成としてあり、
しかも、前記工具保持具Ｂと前記工具Ａとが、該工具保持具Ｂと該工具Ａのいずれか一方に凹部１４を、且つ他方に、該凹部１４に嵌合されて該凹部１４と共に前記工具保持具Ｂの回転軸線ｘ−ｘ上に前記工具Ａの回転中心線ｙ−ｙを正確に位置付ける嵌合い軸部２４を備えている構成としてある。
【００１９】
このように構成される工具の保持構造にあっては、前記凹部１４に嵌合い軸部２４を嵌合するように前記角形嵌合い軸部１２を前記角形嵌合い凹部２３に嵌合することによって、前記工具保持具Ｂと前記工具Ａとが一体に回転するように、前記工具Ａが前記工具保持具Ｂに対して着脱可能に取付けられると共に該工具保持具Ｂにおける回転軸線ｘ−ｘ上に当該工具Ａにおける回転中心線ｙ−ｙを一致させて当該工具Ａを該工具保持具Ｂに取付けることができる。
また、このように構成される工具の保持構造にあっては、前記工具保持具Ｂに対する当該工具Ａの組付けが、前記角形嵌合い凹部２３と、この角形嵌合い凹部２３に嵌合される前記角形嵌合い軸部１２相互の各角形面相互の係合による構成としてあることから、当該工具Ａをいずれの向きに回転駆動させて用いた場合にあっても、工具保持具Ｂに対する当該工具Ａの取付けに緩み出しを生ずることがない。
【００２０】
また、前記構成に係る工具の保持構造において、前記角形嵌合い軸部１２が、該角形嵌合い軸部１２の軸中心線ｔ−ｔを前記工具保持具Ｂにおける回転軸線ｘ−ｘ上に位置付けるように前記角形嵌合い凹部２３に嵌め合わされると共に、前記嵌合い軸部２４が、該嵌合い軸部２４の軸中心線ｓ−ｓを前記工具保持具Ｂにおける回転軸線ｘ−ｘ上に正確に位置付けるように前記凹部１４に対して少なくとも一部を密着して嵌め合わされる構成とすることによって、前記特長に併せて、当該工具Ａの使用に際して当該工具Ａにおける回転中心線ｙ−ｙを工具保持具Ｂにおける回転軸線ｘ−ｘ上に極力位置付けるようになすことができる。
【００２１】
また、前記構成に係る工具の保持構造において、前記係合手段ｋを、前記角形嵌合い凹部２３の内壁面から、その球体の一部を該角形嵌合い凹部２３内に突き出すように圧縮コイルバネ２８で付勢されて備えられる係合球体２７と、前記角形嵌合い軸部１２の外周面に備えられると共に前記係合球体２７が係脱可能に係合される係合凹部１３として構成することによって、
前記特長に併せて、前記角形嵌合い軸部１２を前記角形嵌合い凹部２３内に押し入れ嵌合することによって、この角形嵌合い軸部１２が、その外周面で前記係合球体２７を前記圧縮コイルバネ２８の付勢に抗して押し戻し且つ前記角形嵌合い凹部２３の内方に向けて押し入れられる当該角形嵌合い軸部１２に備えられている前記係合凹部１３に該係合球体２７が該圧縮コイルバネ２８の付勢により入れ込み係合されて、当該工具Ａを前記工具保持具Ｂに係合状態に組み付け得ると共に、
この係合状態にある角形嵌合い軸部１２を前記角形嵌合い凹部２３から引き抜き方向に引くことのみによって、該角形嵌合い軸部１２が前記係合球体２７を前記圧縮コイルバネ２８の付勢に抗して押し戻し、当該係合球体２７の前記係合凹部１３に対する係合を解消して当該工具Ａを前記工具保持具Ｂから取り外すことができる。
【００２２】
また、前記構成に係る工具の保持構造において、前記係合球体２７が、軸方向に操作孔２６ａを備えた調整ねじ２６における該操作孔２６ａ内に、球体の一部を該操作孔２６ａから前記軸方向に突き出すように圧縮コイルバネ２８で付勢されて備えられていると共に、該調整ねじ２６が前記角形嵌合い凹部２３の内壁面に開口する雌ねじ孔２５に螺進退可能に螺入されている構成とすることによって、前記特長に併せて、前記工具保持具Ｂと前記工具Ａとを、都合の良い取付け状態に調整して着脱可能に組み付けることができる。
【００２３】
（１）  第１の実施の形態に係る工具の保持構造
先ず、図１〜図６で示される第１の実施の形態に係る工具の保持構造について具体的に説明する。
この第１の実施の形態に係る工具の保持構造は、例えば、回転駆動軸に備えられる工具保持具や、回転駆動軸にチャックなどの各種の保持具によって備えられる工具保持具などのように回転駆動軸部側に備えられる工具保持具Ｂと、該工具保持具Ｂに対して組み付け用いられる工具Ａとが、該工具保持具Ｂと該工具Ａのいずれか一方に角形嵌合い凹部２３を、且つ他方に、その軸中心線ｔ−ｔを前記工具保持具Ｂの回転軸線ｘ−ｘ上又は該回転軸線ｘ−ｘに平行な線上に位置付けると共に前記工具保持具Ｂの回転軸線ｘ−ｘ上に前記工具Ａの回転中心線ｙ−ｙを位置付けるように該角形嵌合い凹部２３に嵌合して前記工具保持具Ｂと前記工具Ａとを一体に回転させる角形嵌合い軸部１２を備えた構成としてあり、この角形嵌合い凹部２３に角形嵌合い軸部１２を嵌合するように前記工具Ａを工具保持具Ｂに組み付けることによって、当該工具Ａが工具保持具Ｂに対して、この工具保持具Ｂと工具Ａとが一体に回転するように組み付けられる構成としてあり、
かつ、前記角形嵌合い軸部１２と前記角形嵌合い凹部２３には、この角形嵌合い凹部２３内に前記角形嵌合い軸部１２を嵌合することによって前記工具保持具Ｂと前記工具Ａとを係脱可能に係合する係合手段ｋを備えた構成としてあり、当該角形嵌合い凹部２３に嵌合された角形嵌合い軸部１２が該角形嵌合い凹部２３から抜け出さないように当該工具保持具Ｂと工具Ａとが係脱可能に係合される構成としてあり、
しかも、前記工具保持具Ｂと前記工具Ａとが、該工具保持具Ｂと該工具Ａのいずれか一方に凹部１４を、且つ他方に、該凹部１４に少なくとも一部を密着するように嵌合されて該凹部１４と共に前記工具保持具Ｂの回転軸線ｘ−ｘ上に前記工具Ａの回転中心線ｙ−ｙを正確に位置付ける嵌合い軸部２４を備えている構成としてあり、
更に、典型的には、前記角形嵌合い軸部１２が、該角形嵌合い軸部１２の軸中心線ｔ−ｔを前記工具保持具Ｂにおける回転軸線ｘ−ｘ上に位置付けるように前記角形嵌合い凹部２３に嵌め合わされると共に、前記嵌合い軸部２４が、該嵌合い軸部２４の軸中心線ｓ−ｓを前記工具保持具Ｂにおける回転軸線ｘ−ｘ上に位置付けるように前記凹部１４に対して嵌め合わされる構成としてある。
【００２４】
ここで工具保持具Ｂに備えつけられて当該工具保持具Ｂと共に保持構造を構成する工具Ａは、工具保持具Ｂに対して着脱可能に備え付けられる各種の工具、特に、回転駆動される当該工具保持具Ｂに備え付けられて回転状態に用いられる各種の工具であれば、いかなる工具であってもよく、前記工具保持具Ｂと共に保持構造を構成する、例えば、ドリルやフライスやリーマなどの切削工具や、回転円盤状の研削砥石やダイヤモンドホイールや研磨不織布ホイールなどの研削工具などの回転して用いられる各種工具Ａなどとして構成用意される。
【００２５】
また、かかる工具Ａが備え付けられて当該工具Ａと共に保持構造を構成する工具保持具Ｂは、当該工具Ａを保持して当該工具Ａを回転駆動し得る形態のものであれば、いかなる形態の工具保持具Ｂであってもよく、前記工具Ａと共に保持構造を構成する、例えば、回転駆動軸に備えられて工具Ａを保持する形態の工具保持具や、各種装置などの回転駆動軸にチャックなどの各種の保持具によって備えられて工具Ａを保持する形態の工具保持具Ｂなどとして構成用意される。
【００２６】
この実施の形態に係る工具の保持構造にあっては、かかる保持構造における典型例として、回転軸２２を有すると共に前記工具Ａを取付けるための嵌合い部としての角形嵌合い凹部２３を備えた保持具本体部２１を有する工具保持具Ｂと、この工具保持具Ｂにおける回転軸線ｘ−ｘ上又は該回転軸線ｘ−ｘに平行な線上に軸中心線ｔ−ｔを位置付けると共に前記工具保持具Ｂの回転軸線ｘ−ｘ上に前記工具Ａの回転中心線ｙ−ｙを位置付けるように該角形嵌合い凹部２３に嵌合して前記工具保持具Ｂと前記工具Ａとを一体に回転させる角形嵌合い軸部１２を備えると共に、工具手段、例えば、研磨手段としての研磨不織布１５などを備えた工具Ａとを備えた構成としてあり、
この工具保持具Ｂの回転軸２２の回転軸線ｘ−ｘ上に、前記工具Ａにおける回転中心線ｙ−ｙを位置付けるように前記工具保持具Ｂの嵌合い部としての角形嵌合い凹部２３と、この角形嵌合い凹部２３に嵌め合わされる前記工具Ａにおける嵌合い部としての角形嵌合い軸部１２相互が、当該工具Ａと工具保持具Ｂの回転中心線を巡る向きで係合するように密に嵌め合わされるように構成してあり、
この図示例にあっては、当該工具保持具Ｂに備えられている角形嵌合い凹部２３に前記工具Ａにおける角形嵌合い軸部１２を嵌合して当該工具Ａを工具保持具Ｂに組み付けることによって、当該工具Ａの回転中心線ｙ−ｙを前記工具保持具Ｂの回転軸線ｘ−ｘ上に位置付けて、この工具Ａと工具保持具Ｂとが一体に回転するように構成してある。
【００２７】
かかる工具Ａに備えられる角形嵌合い軸部１２及び工具保持具Ｂに備えられる角形嵌合い凹部２３は、更に、典型的には、前記工具保持具Ｂにおける前記角形嵌合い凹部２３に嵌合される前記工具Ａにおける角形嵌合い軸部１２が当該工具Ａの回転中心線ｙ−ｙを備える構成としてあり、
更に、典型的には、前記工具保持具Ｂにおける角形嵌合い凹部２３に嵌合される当該工具Ａにおける前記角形嵌合い軸部１２の軸中心線ｔ−ｔが、前記工具保持具Ｂにおける回転軸２２における回転軸線ｘ−ｘ上に位置付けられる回転中心線ｙ−ｙをなすように、該工具Ａにおける角形嵌合い軸部１２が前記工具保持具Ｂにおける角形嵌合い凹部２３に嵌合される構成としてある。
【００２８】
また、この実施の形態に係る工具の保持構造にあっては、前記工具Ａと工具保持具Ｂとに、互いに嵌まり合って、該工具Ａの回転中心線ｙ−ｙを前記工具保持具Ｂの回転軸２２の回転軸線ｘ−ｘ上に正確に位置付ける凹部１４と嵌合い軸部２４とを、その一方を前記工具Ａに、且つ、他方を前記工具保持具Ｂに備えた構成としてあり、より典型的には、その一方を前記工具Ａにおける角形嵌合い軸部１２に、且つ、他方を前記工具保持具Ｂにおける角形嵌合い凹部２３に備えた構成としてあり、更に、典型的には、前記工具Ａにおける角形嵌合い軸部１２の頂端面から該角形嵌合い軸部１２の基部方に向けて前記凹部１４を備え、且つ、この凹部１４に嵌合される嵌合い軸部２４を前記工具保持具Ｂにおける角形嵌合い凹部２３の底面から該角形嵌合い凹部２３内に突き出すように備えた構成としてあり、かかる構成から、この図示例においては、前記工具Ａに備えられる角形嵌合い軸部１２が、該角形嵌合い軸部１２の軸中心線ｔ−ｔを前記工具保持具Ｂにおける回転軸線ｘ−ｘ上に位置付けるように前記角形嵌合い凹部２３に嵌合されると共に、前記工具保持具Ｂにおける角形嵌合い凹部２３の底面から該角形嵌合い凹部２３内に突き出すように備えられている前記嵌合い軸部２４が、該嵌合い軸部２４の軸中心線ｓ−ｓを前記工具保持具Ｂにおける回転軸線ｘ−ｘ上に正確に位置付けるように前記凹部１４に対して嵌合される。
【００２９】
また、前記実施の形態に係る工具の保持構造にあっては、前記係合手段ｋを、前記角形嵌合い凹部２３の内壁面、典型的には、前記工具保持具Ｂに備えられている角形嵌合い凹部２３の内壁面から、その球体の一部を該角形嵌合い凹部２３内に突き出すように圧縮コイルバネ２８で付勢されて備えられる係合球体２７と、前記角形嵌合い軸部１２の外周面、典型的には、前記工具Ａにおける角形嵌合い軸部１２の外周面に備えられていると共に前記係合球体２７が係脱可能に係合される係合凹部１３として構成してあり、
更に、典型的には、前記工具保持具Ｂに備えられる係合球体２７が、軸方向に操作孔２６ａを備えた調整ねじ２６における該操作孔２６ａ内に、球体の一部を該操作孔２６ａから前記軸方向に突き出すように圧縮コイルバネ２８で付勢されて備えられていると共に該調整ねじ２６が前記角形嵌合い凹部２３の内壁面に開口する雌ねじ孔２５に螺進退可能に螺入されている構成としてあり、
かかる構成より、前記工具保持具Ｂにおける角形嵌合い凹部２３内に、前記工具Ａにおける角形嵌合い軸部１２を嵌合状態に差し入れることによって、前記一方の係合手段ｋである前記係合球体２７が、他方の係合手段ｋである前記係合凹部１３に係脱可能に係合されて、該角形嵌合い凹部２３に嵌合された角形嵌合い軸部１２が該角形嵌合い凹部２３から抜け出さないように該工具Ａを前記工具保持具Ｂに係脱可能な係合状態で取り付けることができる。
【００３０】
この図示例にかかる工具Ａは、更に具体的には、円盤状の研磨不織布１５を備えた研磨工具を、当該工具Ａの典型例として示したものであって、この図示例にあっては、かかる研磨工具として、盤状部１１に所謂シャンクとしての前記角形嵌合い軸部１２を前記工具保持具Ｂにおける角形嵌合い凹部２３に対する嵌合い部の一方として備えた通例ライナーと称される基体部１０に対して前記研磨不織布１５を備えた構成としてある。
【００３１】
この図示例にかかる工具Ａは、工具保持具Ｂに対する取付け部分としての角形嵌合い軸部１２を、所謂シャンクとして盤状部１１に一体に備えて構成される通例ライナーと称される基体部１０に、各種の研磨不織布１５、典型的には、基材が不規則に交錯されるナイロン繊維などで形作られると共に研磨材を接着などして備えられた円盤状の研磨不織布１５を一体に備え付けた構成としてあり、前記角形嵌合い軸部１２を前記工具保持具Ｂにおける角形嵌合い凹部２３に嵌合状態に一体に組み付けるようにして、当該工具Ａを該工具保持具Ｂに着脱可能に備え付けて用い得る構成としてある。
【００３２】
この工具Ａを構成する基体部１０は、円盤状をなす盤状部１１の上面側の中央部に、この盤状部１１の中心を通る線分の延長線上に軸中心線ｔ−ｔを有するように角形嵌合い軸部１２を該盤状部１１から上方に向けて一体に突き出し状態に備えた構成としてあり、例えば、当該盤状部１１と角形嵌合い軸部１２とを各種合成樹脂によって一体に成形して構成してある。
【００３３】
この基体部１０に備えられる角形嵌合い軸部１２は、その軸中心線ｔ−ｔに直交する向きの断面形状を多角形状、典型的には正多角形の断面形状としてあり、この図示例にあっては、正六角形の断面形状としてあると共に、その上端面１２ａが該角形嵌合い軸部１２における軸中心線ｔ−ｔに直交する面をなす構成としてあり、しかも、この突き出し端面としての上端面１２ａから該角形嵌合い軸部１２の基部方、即ち、前記盤状部１１の側に向けて前記凹部１４を備えた構成としてある。
【００３４】
かかる角形嵌合い軸部１２に備えられる凹部１４は、円形孔として構成してあり、この図示例にあっては、該角形嵌合い軸部１２における軸中心線ｔ−ｔを中心として構成される円形の孔としてある。
即ち、この図示例にあっては、前記角形嵌合い軸部１２の軸中心線ｔ−ｔを円形孔の中心線として構成される凹部１４として構成してある。
【００３５】
また、この角形嵌合い軸部１２の外周面には、この外周面を巡る向きに、前記係合手段ｋの一方側を構成する係合凹部１３を備えた構成としてある。
この角形嵌合い軸部１２に備えられる係合凹部１３は、この図示例にあっては、該角形嵌合い軸部１２の軸中心線ｔ−ｔを巡るように該角形嵌合い軸部１２の外周面に一連に連続する溝状のものとして構成してあり、典型的には、この角形嵌合い軸部１２の軸中心線ｔ−ｔと直交する面に沿った該角形嵌合い軸部１２の外周面に一連に連続して備えられる断面が弧状をなす溝状係合凹部１３’、より典型的には、半円よりも小さい円弧の弧状断面として構成される溝状係合凹部１３’として構成してある。
【００３６】
かかる構成からなるライナーとしての基体部１０に備えられる研磨不織布１５は、構成される研磨工具に夫々対応した各種形状、素材からなるものとして構成用いられるものであって、例えば、各種の合成樹脂繊維の不規則に交錯する三次元網状組織体などとして構成される不織布を基材とし、この基材に、各種の研磨材を接着剤で支持固定したものなどを、構成される研磨工具に夫々対応して、例えば、該研磨不織布１５を、接着剤を用いて前記基体部１０の面部１１ａに取付けて当該工具Ａを構成し、あるいは、前記基体部１０及び研磨不織布１５を熱可塑性合成樹脂によって構成すると共に該研磨不織布１５を該基体部１０における前記面部１１ａに溶着して当該工具Ａを構成するなど任意の方法で前記研磨不織布１５を前記基体部１０に備え付けて工具Ａを構成する。
この図示例は、かかる基体部１０に対する研磨不織布１５の典型的な備え付け例を示したものであって、前記基体部１０における盤状部１１の面部１１ａよりも大きい直径で、しかも、比較的厚い円形のマット状をなす研磨不織布１５を用意し、前記円形の面部１１ａに対して同心状、即ち、当該研磨不織布１５における中心線を前記基体部１０の角形嵌合い軸部１２における軸中心線ｔ−ｔと同一の線上に位置付けるようにして該面部１１ａに取付けて当該工具Ａを構成したものであって、
前記研磨不織布１５を熱可塑性合成樹脂繊維製とし且つ該研磨不織布１５の備えられる基体部１０を熱可塑性合成樹脂製とすると共に、この研磨不織布１５を構成する熱可塑性合成樹脂繊維の合成樹脂を基体部１０を構成する合成樹脂よりも融点の高い合成樹脂として用意し、少なくとも、この基体部１０を構成する前記盤状部１１の面部１１ａを溶融状態になし、この溶融状態にある面部１１ａに押し付けられて該溶融状態にある面部１１ａにおける合成樹脂に食い付き状態とされた該研磨不織布１５の繊維端部１５ａを、この溶融状態にある該面部１１ａの合成樹脂の冷却に伴う固化によって、該基体部１０に一体に止め付けるようにして当該工具Ａを構成してある。
なお、図中１６は、前記研磨不織布１５の補強用の織物材を示している。
【００３７】
かかる基体部１０に研磨不織布１５を備えて構成される典型的な研磨工具としての工具Ａの着脱可能な取付けに用いられる工具保持具Ｂは、前記工具Ａを着脱可能に組み付け得る角形嵌合い凹部２３と、
この角形嵌合い凹部２３に嵌合される前記工具Ａにおける角形嵌合い軸部１２を、当該角形嵌合い凹部２３内において、この角形嵌合い凹部２３から抜け出さないように前記工具Ａを当該工具保持具Ｂに対して係脱可能に係合する係合手段ｋとを備えた構成としてあり、
典型的には、前記工具Ａにおける嵌合い部としての角形嵌合い軸部１２の嵌合組み付けられる他方嵌合い部としての角形嵌合い凹部２３を備えると共に、この角形嵌合い凹部２３の内壁面から、球体の一部を突き出すように圧縮コイルバネ２８で付勢された係合球体２７を、前記一方の係合手段ｋとしての係合凹部１３に係合される他方の係合手段ｋとして備えた保持具本体部２１と、
前記角形嵌合い凹部２３に嵌合される前記工具Ａにおける角形嵌合い軸部１２の軸中心線ｔ−ｔと同一の線上に回転軸線ｘ−ｘを有するように、即ち、前記角形嵌合い凹部２３の中心線と同一の線上に該回転軸線ｘ−ｘを有するように、該保持具本体部２１に一体に備えられている回転軸２２とを有する構成としてある。
【００３８】
この保持具本体部２１に備えられる前記角形嵌合い軸部１２の嵌合い部としての角形嵌合い凹部２３は、前記回転軸２２の備えられている側と反対の側にある該保持具本体部２１の面から、前記回転軸２２の側に向けて設けられた底止まりの角形孔、具体的には、前記工具Ａにおける角形嵌合い軸部１２が略密に嵌り合う角形断面の底止まりの孔として構成してあり、該角形嵌合い凹部２３に前記工具Ａにおける角形嵌合い軸部１２を嵌合状態に組み付けた際に、この工具Ａにおける角形嵌合い軸部１２が該工具保持具Ｂにおける回転軸２２と同心で該工具保持具Ｂと一体になって回転し得る態様に設けてある。
かかる保持具本体部２１に備えられる角形嵌合い凹部２３は、典型的には、前記角形嵌合い軸部１２に対応した断面形状が正多角形状の角形嵌合い凹部２３として構成してあり、この図示例にあっては前記角形嵌合い軸部１２の略密に嵌り合う断面形状が正六角形状の底止まりの孔として構成してあって、この孔の中心線、即ち、多角形の中心を通る線分が前記回転軸２２における回転軸線ｘ−ｘ上に位置付けられる構成としてあって、この角形嵌合い凹部２３に嵌合される前記工具Ａにおける角形嵌合い軸部１２の軸中心線ｔ−ｔが該回転軸２２の回転軸線ｘ−ｘ上に位置付けられるように当該角形嵌合い軸部１２が該角形嵌合い凹部２３に嵌合状態に組み付けられる構成としてあると共に、この角形嵌合い凹部２３の底面２３ａが該角形嵌合い凹部２３の中心を通る線分、即ち、前記回転軸２２の回転軸線ｘ−ｘに直交する向きの面として構成してある。
【００３９】
かかる保持具本体部２１に備えられる係合手段ｋは、この保持具本体部２１における前記角形嵌合い凹部２３内に嵌合された前記工具Ａの角形嵌合い軸部１２における係合手段ｋとしての係合凹部１３に対して係脱可能に係合される係合球体２７を備えた構成としてあり、当該係合球体２７を、該角形嵌合い凹部２３内に嵌合される該角形嵌合い軸部１２の係合凹部１３に対応する位置の該角形嵌合い凹部２３の内壁面から、その球体の一部を圧縮コイルバネ２８によって突き出すように設けてある。
【００４０】
かかる係合手段ｋは、更に典型的には、軸方向、即ち、一方の軸端から他方軸端側に向けて底止まりの操作孔２６ａを備えると共に外周部が雄ねじ部２６ｂとされた調整ねじ２６に対して、該操作孔２６ａの底部側に一端側を接するように圧縮コイルバネ２８を内装し且つ該圧縮コイルバネ２８によって該操作孔２６ａの開口側に向けて付勢されるように係合球体２７を内装すると共に、該圧縮コイルバネ２８によって付勢される係合球体２７が、前記操作孔２６ａの縮径開口縁部に当接されて、その半球面よりも少ない球体の一部を該操作孔２６ａから前記軸方向に突き出すように備えられた構成とし、この係合球体２７を備えた調整ねじ２６を前記角形嵌合い凹部２３の内壁面に開口する雌ねじ孔２５、この図示例にあっては前記保持具本体部２１に設けられている雌ねじ孔２５に螺進退可能に螺入し、この調整ねじ２６に備えられている前記係合球体２７が、該保持具本体部２１における前記角形嵌合い凹部２３の内壁面から、その球体の一部を突き出すように当該調整ねじ２６を前記雌ねじ孔２５に対して螺入位置決めをして構成される。
【００４１】
なお、図中２６ｃは、前記調整ねじ２６の操作穴であって、レンチなどの各種工具を用いた当該調整ねじ２６の螺回動に用いられるものであって、この図示例にあっては、六角穴として構成されている。
【００４２】
かかる保持具本体部２１に備えられる係合手段ｋは、当該保持具本体部２１の角形嵌合い凹部２３に嵌合される前記工具Ａにおける角形嵌合い軸部１２に備えられている係合手段ｋとしての係合凹部１３に都合よく当該係合手段ｋを構成する係合球体２７が係合される位置に備えられて、該角形嵌合い凹部２３に嵌合された工具Ａにおける角形嵌合い軸部１２の抜け出しを効果的に防止する形態に備えられておれば、いかなる形態に備えられていてもよく、当該保持具本体部２１に備えられる係合手段ｋを一個の前記調整ねじ２６によって構成してあっても、また、複数個の調整ねじ２６によって構成してあってもよい。
【００４３】
かかる工具保持具Ｂに備えられる係合手段ｋは、典型的には、前記工具保持具Ｂを構成する保持具本体部２１の外周面から該工具保持具Ｂの角形嵌合い凹部２３内に貫通するように備えられている該工具保持具Ｂの前記回転軸２２の回転軸線ｘ−ｘに直交する向きの雌ねじ孔２５に夫々前記調整ねじ２６をねじ入れて構成してあり、典型的には、前記角形嵌合い凹部２３内に嵌合される前記角形嵌合い軸部１２の各外周面に沿って該面を巡る向きに一連に備えられている係合凹部１３における該角形嵌合い軸部１２の軸中心線ｔ−ｔを含む面に直交する向きの面部に向けて一端を開口するように前記保持具本体部２１の外周面と前記角形嵌合い凹部２３間に連通して前記回転軸線ｘ−ｘに直交する向きに備えられている各雌ねじ孔２５に夫々前記調整ねじ２６をねじ入れて構成してあり、この図示例にあっては、前記保持具本体部２１における外周面の３方向から、前記回転軸線ｘ−ｘに向けて、互いに等間隔に備えられる３個の雌ねじ孔２５を、各雌ねじ孔２５が、前記正六角形状をなす角形嵌合い凹部２３における長方形状をなす面の幅側の中央で開口するように設け、この各雌ねじ孔２５にねじ入れられた前記調整ねじ２６に備えられている前記夫々の係合球体２７によって、角形嵌合い凹部２３内に嵌め入れられる前記工具Ａにおける前記角形嵌合い軸部１２が、その軸中心線ｙ−ｙを前記工具保持具Ｂにおける回転軸線ｘ−ｘ上に偏りなく位置付けられ得るように、該係合球体２７を該角形嵌合い軸部１２における係合手段ｋとしての係合凹部１３に係脱可能に係合するようにしてある。
【００４４】
かかる構成からなる前記保持具本体部２１における角形嵌合い凹部２３内、より具体的には、該角形嵌合い凹部２３の底面２３ａから、この角形嵌合い凹部２３内に嵌合される前記工具Ａにおける角形嵌合い軸部１２の凹部１４に対して嵌合される嵌合い軸部２４、より典型的には、前記角形嵌合い凹部２３の底面２３ａから、前記工具保持具Ｂの回転軸２２の回転軸線ｘ−ｘ上に軸中心線ｓ−ｓを有すると共に前記角形嵌合い凹部２３内に嵌合される前記工具Ａにおける角形嵌合い軸部１２の円形孔状をなす凹部１４に対して嵌合される円錐台状をなす嵌合い軸部２４を、該角形嵌合い凹部２３内に突き出すように設けてあり、この嵌合い軸部２４の外周面を該凹部１４の開口縁に密に接するように嵌合し、且つ、前記角形嵌合い軸部１２を前記角形嵌合い凹部２３に嵌合することによって、前記工具Ａが工具保持具Ｂに対して、該工具保持具Ｂと該工具Ａとが一体に回転するように該工具Ａにおける角形嵌合い軸部１２の軸中心線ｔ−ｔを該工具保持具Ｂの回転軸２２の回転軸線ｘ−ｘ上に位置付けた状態で、この工具Ａにおける回転中心線ｙ−ｙを前記工具保持具Ｂにおける回転軸線ｘ−ｘ上に位置付けて、前記各係合手段ｋ相互の係合によって着脱可能に組み付けられる。
【００４５】
かかる工具Ａの取付けに用いられる前記工具保持具Ｂは、当該工具保持具Ｂを前記回転軸２２と前記保持具本体部２１とを一体のものとして構成してあっても、また、この回転軸２２と保持具本体部２１とを各種部材の組み付けによって構成してあってもよい。
【００４６】
かかる工具保持具Ｂは、例えば、図示例におけるように、ブロック材２０と、このブロック材２０に備えられている雌ねじ孔２０ｄに螺着される軸部材２０’との一体的な組み付けによって構成し、このブロック材２０と軸部材２０’との一体的な組付け体として構成される工具保持具Ｂが、前記嵌合い軸部２４を備えた角形嵌合い凹部２３及び調整ねじ２５のねじ入れ用雌ねじ孔２５などを備えた保持具本体部２１、及び、前記回転軸２２などの各構成を備えるように構成することができる。
【００４７】
かかる図示例に係るブロック材２０は、下部側が円盤状部２０ａとされていると共に上部側が円錐台状部２０ｂとされた一体形状のものとしてあり、該円盤状部２０ａと円錐台状部２０ｂの中心線を中心線とするように該円盤状部２０ａの下端面２０ｆの中央部と前記円錐台状部２０ｂの上端面２０ｅの中央部との間を一連に孔状をなすように連通する凹部２０ｃ及び該凹部２０ｃよりも小さい孔径の雌ねじ孔２０ｄとを備え、しかも、この円盤状部２０ａの外周面と前記凹部２０ｃとの間を連通する複数の雌ねじ孔２５を該円盤状部２０ａの中心から放射方向の向きに備えた構成としてある。
【００４８】
このブロック材２０に備えられる凹部２０ｃは、該ブロック材２０の下端面２０ｆ，即ち、前記円盤状部２０ａの面から前記円錐台状部２０ｂの側に向けて角形孔状に凹む構成、より具体的には、前記角形嵌合い軸部１２が嵌合される形状、寸法の凹部２０ｃ、即ち、この図示例にあっては、前記の断面形状が六角形状をなす角形嵌合い軸部１２が密に嵌合されて、相互に回り止めの状態に嵌め付けられる六角形状の角孔状凹部２０ｃとしてあると共に、この凹部２０ｃの底面２０ｇと前記円錐台状部２０ｂの上端面２０ｅとの間を連通するように前記雌ねじ孔２０ｄが該雌ねじ孔２０ｄの孔周縁に前記底面２０ｇを段差状に残すように備えられている構成としてある。
【００４９】
かかるブロック材２０に備えられている前記正六角形状の角孔状凹部２０ｃの中心を通る線と、前記雌ねじ孔２０ｄの中心線とが同一線上に位置付けられているとともに、これらの各線が、前記ブロック材２０における円盤状部２０ａ及び円錐台状部２０ｂの中心を通る線上に位置付けられている構成としてあり、この円盤状部２０ａの外周面と前記凹部２０ｃとの間を連通するように備えられている前記雌ねじ孔２５の中心を通る線が角孔状凹部２０ｃを構成する長方形状の内壁面の幅側の中心を通り且つ前記円盤状部２０ａの中心を通る線に直交する構成としてあり、この図示例にあっては、前記雌ねじ孔２５を、前記正六角形状の角孔状凹部２０ｃを構成する長方形状をなす６個の内壁面のうちの１個おきにある内壁面に夫々開口するように備えられた３個の雌ねじ孔２５としてあると共に、この雌ねじ孔２５における中心線が前記内壁面における幅（短辺）の中心を通り且つ前記円盤状部２０ａの中心を通る線に直交する構成としてある。
【００５０】
かかるブロック材２０に一体的に組み付けられて工具保持具Ｂを構成する軸部材２０’は、軸部２０’ａと、この軸部２０’ａに鍔部２０’ｂを介して一体に連続して備えられている雄ねじ部２０’ｃと、この雄ねじ部２０’ｃに一体に連続して備えられている円錐台状をなす凸部２０’ｄとを備えた構成としてあり、この軸部２０’ａと雄ねじ部２０’ｃと凸部２０’ｄとが夫々の軸中心線を同一の線上に備えた構成としてあり、前記鍔部２０’ｂを前記ブロック材２０の上端面２０ｅに突き当てるように該雄ねじ部２０’ｃを前記雌ねじ孔２０ｄにねじ入れた際に、前記凸部２０’ｄが、前記底面２０ｇから凹部２０ｃ内に突き出すように構成してある。
【００５１】
かかる構成からなる軸部材２０’を、この軸部材２０’における前記鍔部２０’ｂを前記ブロック材２０の上端面２０ｅに突き当てるように該軸部材２０’における前記雄ねじ部２０’ｃを前記ブロック材２０における雌ねじ孔２０ｄにねじ入れ、当該軸部材２０’とブロック材２０とを一体的に固着した状態に組み付けて当該工具保持具Ｂを構成する。
【００５２】
このように軸部材２０’をブロック材２０に組み付けて構成される工具保持具Ｂは、前記軸部２０’ａが該工具保持具Ｂにおける前記回転軸２２とされると共に、互いに一体的に組み付けられる前記ブロック材２０及び前記雄ねじ部２０’ｃ並びに前記鍔部２０’ｂが該工具保持具Ｂにおける前記保持具本体部２１とされ、また、前記凹部２０ｃが該工具保持具Ｂにおける前記角形嵌合い凹部２３とされ、前記凸部２０’ｄが該工具保持具Ｂにおける嵌合い軸部２４とされ、前記工具保持具Ｂを当該ブロック材２０と軸部材２０’との組み付けによって容易に構成することができる。
【００５３】
かかる工具保持具Ｂは、更に、他の部材の組み付けによって構成してあってもよく、例えば、前記ブロック材２０における円盤状部２０ａと円錐台状部２０ｂとを別段に成形用意して、これらを連結してブロック材２０を構成すると共に、これに前記軸部材２０’を組み付けて当該工具保持具Ｂを構成するなど、各種部材の組み付けによって構成することができる。
【００５４】
（２）  第２の実施の形態に係る工具の保持構造
次いで、図７〜図１２で示される第２の実施の形態に係る工具の保持構造について具体的に説明する。
この第２の実施の形態に係る工具の保持構造は、例えば、回転駆動軸に備えられる工具保持具や、回転駆動軸にチャックなどの各種の保持具によって備えられる工具保持具などのように回転駆動軸部側に備えられる工具保持具Ｂと、該工具保持具Ｂに対して取付けて用いられる工具Ａとが、該工具保持具Ｂと該工具Ａのいずれか一方に角形嵌合い凹部２３を、且つ他方に、前記工具保持具Ｂの回転軸線ｘ−ｘ上又は該回転軸線ｘ−ｘに平行な線上に軸中心線ｔ−ｔを位置付けると共に前記工具保持具Ｂの回転軸線ｘ−ｘ上に前記工具Ａの回転中心線ｙ−ｙを位置付けるように該角形嵌合い凹部２３に嵌合して前記工具保持具Ｂと前記工具Ａとを一体に回転させる角形嵌合い軸部１２を備えた構成としてあり、この角形嵌合い凹部２３の角形嵌合い軸部１２を嵌合するように前記工具Ａを工具保持具Ｂに組み付けることによって、当該工具Ａが工具保持具Ｂに対して、この工具保持具Ｂと工具Ａとが一体に回転するように組み付けられる構成としてあり、
かつ、前記角形嵌合い軸部１２と前記角形嵌合い凹部２３には、この角形嵌合い凹部２３内に前記角形嵌合い軸部１２を嵌合することによって前記工具保持具Ｂと前記工具Ａとを係脱可能に係合する係合手段ｋを備えた構成としてあり、当該角形嵌合い凹部２３に嵌合された角形嵌合い軸部１２が該角形嵌合い凹部２３から抜け出さないように当該工具保持具Ｂと工具Ａとが係脱可能に係合される構成としてあり、
しかも、前記工具保持具Ｂと前記工具Ａとが、該工具保持具Ｂと該工具Ａのいずれか一方に凹部１４を、且つ他方に、該凹部１４に少なくとも一部を密着するように嵌合されて該凹部１４と共に前記工具保持具Ｂの回転軸線ｘ−ｘ上に前記工具Ａの回転中心線ｙ−ｙを正確に位置付ける嵌合い軸部２４を備えている構成としてあり、
更に、典型的には、前記角形嵌合い軸部１２が、該角形嵌合い軸部１２の軸中心線ｔ−ｔを前記工具保持具Ｂにおける回転軸線ｘ−ｘ上に位置付けるように前記角形嵌合い凹部２３に嵌合されると共に、前記嵌合い軸部２４が、該嵌合い軸部２４の軸中心線ｓ−ｓを前記工具保持具Ｂにおける回転軸線ｘ−ｘ上に位置付けるように前記凹部１４に対して嵌め合わされる構成としてあり、
研磨不織布１５’を面ファスナー１７で基体部１０に係脱可能に装着して当該保持構造を構成する研磨工具Ａを構成した以外の構成を前記第１の実施の形態に係る工具の保持構造の構成と同一又は実質的に同一の構成としてあり、該第１の実施の形態に係る工具の保持構造におけると同一の態様で組み付け構成されるようにしてある。
従って、前記第１の実施の形態に係る工具の保持構造の構成と同一又は実質的に同一の構成部分に同一の番号を付して、その説明を省略する。
【００５５】
この実施の形態に係る工具の保持構造を構成する工具Ａは、前記第１の実施の形態に係る工具の保持構造を構成する工具Ａにおける基体部１０と同一の構成からなる基体部１０に対して、前記第１の実施の形態に係る工具の保持構造を構成する工具Ａにおける研磨不織布１５と実質的に同一の構成からなる研磨不織布１５’を雌雄対をなす面ファスナー１７で係脱可能に装着することによって構成するようにしてあり、一般にライナーと称される基体部１０に対して研磨手段としての研磨不織布１５’を適宜取り換えて研磨をなし得るように構成してある。
【００５６】
かかる基体部１０に面ファスナー１７によって係合されて工具Ａを構成する研磨不織布１５’は、研磨材を備えると共に研磨対象物に対応して各種の繊維素材を不規則に交錯する三次元網状組織体などとして各種形状に構成されたものであってよく、この図示例にあっては、研磨材を接着剤で接着するなどして構成される合成樹脂繊維によって形作られる厚幅の円盤状体をなすフェルト状の研磨不織布１５’としてあり、研磨面と反対の側にある面に面ファスナー１７における雌雄の一方側１７’を備え付けた構成としてある。
【００５７】
かかる研磨不織布１５’を係合状態に備え得る基体部１０は、該研磨不織布１５’を係脱可能に係合する構成を備えた以外の構成を、前記第１の実施の形態に係る工具の保持構造における基体部１０と同一の構成としてあり、円盤状をなす盤状部１１の上面側の中央部に、この盤状部１１の中心を通る線分の延長線上に軸中心線ｔ−ｔを有するように角形嵌合い軸部１２を該盤状部１１から上方に向けて一体に突き出し状態に備えた構成としてあると共に、その下面側に前記雌雄をなす面ファスナー１７の他方側１７”が備え付けられており、例えば、当該盤状部１１と角形嵌合い軸部１２とを各種合成樹脂によって一体に成形して構成してある。
【００５８】
かかる基体部１０に備えられる角形嵌合い軸部１２は、その軸中心線ｔ−ｔに直交する向きの断面形状を多角形状、典型的には正多角形の断面形状としてあり、この図示例にあっては、正六角形の断面形状としてあると共に、その上端面１２ａが該角形嵌合い軸部１２における軸中心線ｔ−ｔに直交する面をなす構成としてあると共に、この突き出し端面としての上端面１２ａから該角形嵌合い軸部１２の基部方、即ち、前記盤状部１１の側に向けて前記凹部１４を備えた構成としてある。
【００５９】
また、かかる角形嵌合い軸部１２に備えられる凹部１４は、円形孔として構成してあり、この図示例にあっては、該角形嵌合い軸部１２における軸中心線ｔ−ｔを中心として構成される円形の孔としてある。
即ち、この図示例にあっては、前記角形嵌合い軸部１２の軸中心線ｔ−ｔを円形孔の中心線として構成される凹部１４として構成してある。
【００６０】
また、この角形嵌合い軸部１２の外周面には、この外周面を巡る向きに、前記係合手段ｋの一方側を構成する係合凹部１３を備えた構成としてある。
この角形嵌合い軸部１２に備えられる係合凹部１３は、この図示例にあっては、該角形嵌合い軸部１２の軸中心線ｔ−ｔを巡るように該角形嵌合い軸部１２の外周面に一連に連続する溝状のものとして構成してあり、典型的には、この角形嵌合い軸部１２の軸中心線ｔ−ｔと直交する面に沿った該角形嵌合い軸部１２の外周面に一連に連続して備えられる断面が弧状をなす溝状係合凹部１３’、より典型的には、半円よりも小さい円弧の弧状断面として構成される溝状係合凹部１３’として構成してある。
【００６１】
かかる構成からなる基体部１０に備えられている前記雌雄をなす面ファスナー１７の一方側１７”に、前記研磨不織布１５’に備えられている当該雌雄をなす面ファスナー１７の他方側を係合して、該研磨不織布１５’を基体部１０に備え付けて研磨工具Ａを構成する。
【００６２】
このように構成される工具Ａの組み付けられる工具保持具Ｂは、前記第１の実施の形態に係る工具の保持構造における工具保持具Ｂと同一の構成の工具保持具Ｂとしてあり、前記第１の実施の形態に係る工具の保持構造におけると同一の態様で当該第２の実施の形態に係る工具の保持構造における工具Ａを該工具保持具Ｂに対して着脱可能に組み付け得るようにしてあり、より具体的には、当該工具保持具Ｂに対して当該工具Ａを構成している基体部１０を、前記研磨不織布１５’を備え付けた状態で組み付けて用い、又は、前記研磨不織布１５’を取り外した状態で組み付けると共に該基体部１０に研磨不織布１５’を係合して用いるようにしてある。
【００６３】
【発明の効果】
この発明に係る工具の保持構造は、工具保持具と工具とが、該工具保持具と該工具のいずれか一方に角形嵌合い凹部を、且つ他方に、前記工具保持具の回転軸線上に前記工具の回転中心線を位置付けるように該角形嵌合い凹部に嵌合される角形嵌合い軸部を備えていると共に、前記角形嵌合い軸部と前記角形嵌合い凹部には、前記工具保持具と前記工具とを該角形嵌合い凹部内に前記角形嵌合い軸部を嵌合することによって係脱可能に係合する係合手段を備えており、
しかも、前記工具保持具と前記工具とが、該工具保持具と該工具のいずれか一方に凹部を、且つ他方に、該凹部に嵌合されて該凹部と共に前記工具保持具の回転軸線上に前記工具の回転中心線を位置付ける嵌合い軸部を備えていることから、前記凹部に嵌合い軸部を嵌め入れるように前記角形嵌合い軸部を前記角形嵌合い凹部に嵌合することによって、前記工具と前記工具保持具とが一体に回転するように、前記工具が前記工具保持具に対して着脱可能に取付けられると共に該工具保持具における回転軸線上に当該工具における回転中心線を一致させて当該工具を該工具保持具に取付けることができる利点を有している。
また、このように構成される工具の保持構造にあっては、当該工具をいずれの向きに回転駆動させて用いた場合でも、当該取付け工具の取付けに緩み出しを生ずることがない利点を有している。
【００６４】
また、前記構成に係る工具の保持構造において、前記角形嵌合い軸部が、該角形嵌合い軸部の軸中心線を前記工具保持具における回転軸線上に位置付けるように前記角形嵌合い凹部に嵌合されると共に、前記嵌合い軸部が、該嵌合い軸部の軸中心線を前記工具保持具における回転軸線上に位置付けるように前記凹部に対して嵌合される構成とすることによって、当該工具の使用に際して当該工具における回転中心線を工具保持具における回転軸線上に極力位置付けるようになすことができる利点を有している。
【００６５】
また、前記構成に係る工具の保持構造において、前記係合手段を、前記角形嵌合い凹部の内壁面から、球体の一部を該角形嵌合い凹部内に突き出すように圧縮コイルバネで付勢されて備えられている係合球体と、前記角形嵌合い軸部の外周面に備えられていると共に前記係合球体が係脱可能に係合される係合凹部とすることによって、前記工具を工具保持具に対して、円滑に取付け且つ取り外すことができる利点を有している。
【００６６】
また、前記構成に係る工具の保持構造において、前記係合球体が、軸方向に操作孔を備えた調整ねじにおける該操作孔内に、球体の一部を該操作孔から前記軸方向に突き出すように圧縮コイルバネで付勢されて備えられていると共に、該調整ねじが前記角形嵌合い凹部の内壁面に開口する雌ねじ孔に螺進退可能に螺入されている構成とすることによって、前記工具保持具と前記工具とを、都合の良い係合状態に着脱可能に組み付けることができる利点を有している。
【図面の簡単な説明】
【図１】典型的な第１の実施の形態に係る工具の保持構造を構成する工具保持具の要部と工具とを一部部品を分離して示した斜視図
【図２】同工具を工具保持具に組み付けた状態を該工具保持具の一部を省略し且つ要部を破断して示した側面図
【図３】同工具を工具保持具に組み付けた状態の平断面図
【図４】同工具保持具の主要部を、その一部を破断して示した側面図
【図５】同工具の平面図
【図６】同工具の一部を破断して示した側面図
【図７】典型的な第２の実施の形態に係る工具の保持構造を構成する工具保持具の要部と工具とを一部部品を分離して示した斜視図
【図８】同工具を工具保持具に組み付けた状態を該工具保持具の一部を省略し且つ要部を破断して示した側面図
【図９】同工具を工具保持具に組み付けた状態の平断面図
【図１０】同工具保持具の主要部を、その一部を破断して示した側面図
【図１１】同工具の平面図
【図１２】同工具の一部を破断して示した側面図
【符号の説明】
Ａ  工具
Ｂ  工具保持具
ｋ  係合手段
１２  角形嵌合い軸部
１３  係合凹部
１４  凹部
２３  角形嵌合い凹部
２４  嵌合い軸部
２６  調整ねじ
２７  係合球体
２８  圧縮コイルバネ
【図１】
0003817134.tif 000002
【図２】
0003817134.tif 000003
【図３】
0003817134.tif 000004
【図４】
0003817134.tif 000005
【図５】
0003817134.tif 000006
【図６】
0003817134.tif 000007
【図７】
0003817134.tif 000008
【図８】
0003817134.tif 000009
【図９】
0003817134.tif 000010
【図１０】
0003817134.tif 000011
【図１１】
0003817134.tif 000012
【図１２】
0003817134.tif 000013